(57)【要約】【課題】データチャネルの伝送効率を低下させずに、トータルのスループットを向上させる制御チャネル送信方法、制御チャネル伝送方法、変調方法、基地局及び端末を提供することを目的とする。【解決手段】多入力多出力（Multiple Input Multiple Output）伝送を行うか否かに応じて制御項目数の異なる複数の制御チャネルフォーマットから一つの制御チャネルフォーマットを選択するステップと、選択した制御チャネルフォーマットに基づいて制御チャネルを送信するステップとを有することで上記課題を解決する。【選択図】  図８
2010022065.tif 000002
【特許請求の範囲】
【請求項１】
多入力多出力（Multiple Input Multiple Output）伝送を行うか否かに応じて制御項目数の異なる複数の制御チャネルフォーマットから一つの制御チャネルフォーマットを選択するステップと、
前記選択した制御チャネルフォーマットに基づいて制御チャネルを送信するステップとを有することを特徴とする制御チャネル送信方法。
【請求項２】
前記制御チャネルを時間領域で多重して送信することを特徴とする請求項１記載の制御チャネル送信方法。
【請求項３】
前記制御チャネルを周波数領域で多重して送信することを特徴とする請求項１記載の制御チャネル送信方法。
【請求項４】
前記制御チャネルをコード領域で多重して送信することを特徴とする請求項１記載の制御チャネル送信方法。
【請求項５】
多入力多出力（Multiple Input Multiple Output）伝送を行うか否かに応じて制御項目数の異なる複数の制御チャネルフォーマットから一つの制御チャネルフォーマットを選択するフォーマット選択手段と、
前記選択した制御チャネルフォーマットに基づいて制御チャネルを前記端末に送信する送信手段とを有することを特徴とする基地局。
【請求項６】
多入力多出力（Multiple Input Multiple Output）伝送を行うか否かに応じて制御項目数の異なる複数の制御チャネルフォーマットから選択した一つの制御チャネルフォーマットに基づいて制御チャネルを送信する基地局から通知された制御チャネルフォーマットに基づいて、前記基地局から受信した制御チャネルを復調する制御チャネル復調手段と、
前記制御チャネル復調手段による制御チャネルの復調結果に基づいて前記基地局から受信したデータチャネルを復調するデータチャネル復調手段と
を有することを特徴とする端末。
【請求項７】
多入力多出力（Multiple Input Multiple Output）伝送を行うか否かに応じて制御項目数の異なる複数の制御チャネルフォーマットから選択した一つの制御チャネルフォーマットを通知する基地局から通知された制御チャネルフォーマットに基づいて、制御チャネルを基地局に送信する送信手段
を有することを特徴とする端末。
【請求項８】
多入力多出力（Multiple Input Multiple Output）伝送を行うか否かに応じて制御チャネルフォーマットを構成する変調方式情報のビット数が異なる複数の制御チャネルフォーマットから一つの制御チャネルフォーマットを選択するステップと、
前記選択した制御チャネルフォーマットに基づいて制御チャネルを送信するステップとを有することを特徴とする制御チャネル伝送方法。
【請求項９】
多入力多出力（Multiple Input Multiple Output）伝送を行うか否かに応じて制御チャネルフォーマットを構成する変調方式情報のビット数が異なる複数の制御チャネルフォーマットから一つの制御チャネルフォーマットを選択するフォーマット選択手段と、
前記選択した制御チャネルフォーマットに基づいて制御チャネルを端末に送信する送信手段と
を有することを特徴とする基地局。
【請求項１０】
多入力多出力（Multiple Input Multiple Output）伝送を行うか否かに応じて制御チャネルフォーマットを構成する変調方式情報のビット数が異なる複数の制御チャネルフォーマットから選択した一つの制御チャネルフォーマットに基づいて制御チャネルを送信する基地局から通知された制御チャネルフォーマットに基づいて、前記基地局から受信した制御チャネルを復調する制御チャネル復調手段と、
前記制御チャネル復調手段による制御チャネルの復調結果に基づいて前記基地局から受信したデータチャネルを復調するデータチャネル復調手段と
を有することを特徴とする端末。
【請求項１１】
多入力多出力（Multiple Input Multiple Output）伝送を行うか否かに応じて制御チャネルフォーマットを構成する変調方式情報のビット数が異なる複数の制御チャネルフォーマットから選択した一つの制御チャネルフォーマットを通知する基地局から通知された制御チャネルフォーマットに基づいて、制御チャネルを基地局に送信する送信手段
を有することを特徴とする端末。
【請求項１２】
多入力多出力（Multiple Input Multiple Output）伝送を行うか否かに応じて制御チャネルについて選択可能な変調方式の種類が異なり、前記多入力多出力伝送を行う場合に前記多入力多出力伝送を行わない場合より前記選択可能な変調方式の種類がより多く設定され、
前記多入力多出力伝送を行うか否かに基づいて前記選択可能な変調方式から選択した変調方式を用いて変調を行う
ことを特徴とする変調方法。
【請求項１３】
多入力多出力（Multiple Input Multiple Output）伝送を行うか否かに応じて制御チャネルについて選択可能な変調方式の種類が異なり前記多入力多出力伝送を行う場合に前記多入力多出力伝送を行わない場合より前記選択可能な変調方式の種類がより多く設定された変調方式から、前記多入力多出力伝送を行うか否かに基づいて前記選択可能な変調方式から変調方式を選択する選択手段と、
前記選択した変調方式で送信信号を変調して端末に送信する送信手段と
を有することを特徴とする基地局。
【請求項１４】
多入力多出力（Multiple Input Multiple Output）伝送を行うか否かに応じて制御チャネルについて選択可能な変調方式の種類が異なり前記多入力多出力伝送を行う場合に前記多入力多出力伝送を行わない場合より前記選択可能な変調方式の種類がより多く設定された変調方式から前記多入力多出力伝送を行うか否かに基づいて前記選択可能な変調方式から選択した変調方式で変調された送信信号を基地局から受信する受信手段と、
前記選択された変調方式を用いて前記受信信号を復調する復調手段と
を有することを特徴とする端末。
【請求項１５】
多入力多出力（Multiple Input Multiple Output）伝送を行うか否かに応じて制御チャネルについて選択可能な変調方式の種類が異なり前記多入力多出力伝送を行う場合に前記多入力多出力伝送を行わない場合より前記選択可能な変調方式の種類がより多く設定された変調方式から前記多入力多出力伝送を行うか否かに基づいて前記選択可能な変調方式から選択した変調方式で送信信号を変調して前記基地局に送信する送信手段
を有することを特徴とする端末。
【発明の詳細な説明】
【技術分野】
【０００１】
本発明は、制御チャネル送信方法、制御チャネル伝送方法、変調方法、基地局及び端末に係り、特に制御チャネルを用いて適応的に通信パラメータの制御を行う為の制御チャネル送信方法、制御チャネル伝送方法、変調方法、基地局及び端末に関する。
【背景技術】
【０００２】
例えば第３世代の移動通信システムでは、データパケットの伝送効率を高めるために、適応変復調，ＨＡＲＱ（Hybrid Automatic Repeat reQuest），スケジューリングなどの適応無線リンク制御が用いられる。これらの適応無線リンク制御は、個別又は共有の制御チャネルを用いて行われ、制御チャネルとほぼ同時に伝送されるデータチャネルで使用しているリンクパラメータを各ユーザ端末に通知する。
【０００３】
例えば適応変復調の場合、制御チャネルはデータチャネルの変調方式および符号化率などの情報を伝送する。ＨＡＲＱの場合、制御チャネルはデータチャネルで伝送されるパケットのパケット番号や再送回数などの情報を伝送する。スケジューリングの場合、制御チャネルはユーザＩＤなどの情報を伝送する。
【０００４】
３ＧＰＰ（Third Generation Partnership Project）で標準化されているＨＳＤＰＡ（High Speed Downlink Packet Access）では、非特許文献１に記載されているように、ＨＳ−ＳＣＣＨ（Shared Control Channel for HS-DSCH）と呼ばれる共有制御チャネルを用いて、表１に示すような制御情報の伝送が行われる。
【０００５】
【表１】
2010022065.tif 000003
【０００６】
適応無線リンク制御に用いられる従来の制御チャネル伝送方法は、データチャネルの復調に必要な情報を伝送する制御チャネルを受信側で確実に復調する為に、制御チャネルフォーマットを固定にして使用している。また、データチャネルの伝送効率を落とさない為に、従来の制御チャネル伝送方法は情報量を最低限必要なものに絞った上で、制御チャネルフォーマットを固定にして使用しており、制御チャネルフォーマットを可変にして使用することは無かった。
【０００７】
非特許文献２に記載されるように、表１に示したＨＳＤＰＡの制御情報はＣＲＣ付与及びＲ＝１／３の畳込み符号化後に合計１２０ビットになるようレートマッチングされる。その後、ＱＰＳＫ変調およびＳＦ＝１２８の拡散が行われ、ＨＳ−ＳＣＣＨの物理チャネルにマッピングされる。
【先行技術文献】
【非特許文献】
【０００８】
【非特許文献１】3GGP TS 25.212 v5.9.0(2004-06)
【非特許文献２】3GPP TS 25.211 v5.6.0(2004-09)
【発明の概要】
【発明が解決しようとする課題】
【０００９】
次世代の移動通信システムでは、高速なデータ伝送を実現する為に、マルチキャリア伝送や複数アンテナを用いたＭＩＭＯ（Multiple Input Multiple Output）伝送が用いられる。この場合は、サブキャリア毎や送信アンテナ毎に無線パラメータの適応制御を行なうことにより伝送特性を更に向上させることが可能となる。
【００１０】
しかしながら、ＭＩＭＯ伝送は可変パラメータの数が増え、制御チャネルに必要なビット数が増加するという問題があった。また、１つのフレームにおいて同時多重ユーザ数が増えた場合にも、制御チャネルの情報はユーザ数に比例して増大するという問題があった。
【００１１】
一方、同時に伝送できるチャネル容量は直交多重可能なチャネル数で上限が決まってしまう。したがって、制御チャネルの情報量が増えた場合にはデータ伝送に使用できるチャネル数が少なくなり、その結果、データの伝送効率が低下するという問題があった。
【００１２】
ここで、ＣＤＭＡ（Code Division Multiple Access）によるユーザ多重の場合を例にして説明する。図１は、同時多重ユーザ数が１のとき、データチャネルに使用できるコード数を表した説明図である。図１は、同時多重ユーザ数が１、データチャネル及び制御チャネル共にＳＦ＝８の拡散によるコード多重伝送が行われている例を示している。制御チャネルの伝送に必要なコード数を１とした場合、残りの直交可能なコードリソースを全てデータチャネルに使用すると、データチャネルに使用できるコード数は７となる。
【００１３】
図２は、同時多重ユーザ数が４のとき、データチャネルに使用できるコード数を表した説明図である。図２のように、同時多重ユーザ数が４となると、制御チャネルに４コードを使用するため、データチャネルに使用できるコード数は４に制限される。したがって、フレーム当たりのデータチャネルの伝送効率は４／７に低下してしまう。
【００１４】
また、データチャネルの伝送効率の低下を防ぐために、制御チャネルの情報量を必要最低限なものに絞った場合は、適応無線リンク制御による利得が得られ難くなる為、逆にシステム全体の伝送特性が向上しなくなるという問題があった。
【００１５】
例えば広帯域マルチキャリア伝送では、周波数選択性フェージングによりサブキャリア毎に通信品質が異なるため、常に通信品質の良いサブキャリアを選んで通信を行なうことにより、トータルのスループットを向上することができる。
【００１６】
また、同様にＭＩＭＯ伝送では、アンテナブランチ毎に独立なフェージング変調が発生した場合、常に通信品質の良い送信アンテナを選んで使用したり、アンテナ毎に適用変復調を行ったりすることにより、トータルのスループットを向上することができる。このように、適応無線リンク制御に用いられる制御チャネル伝送方法では、データチャネルの伝送効率を低下させずに、トータルのスループットを向上させることが求められている。
【００１７】
本発明は、上記の点に鑑みなされたもので、データチャネルの伝送効率を低下させずに、トータルのスループットを向上させる制御チャネル送信方法、制御チャネル伝送方法、変調方法、基地局及び端末を提供することを目的とする。
【課題を解決するための手段】
【００１８】
上記課題を解決するため、本発明の制御チャネル送信方法は、多入力多出力（Multiple Input Multiple Output）伝送を行うか否かに応じて制御項目数の異なる複数の制御チャネルフォーマットから一つの制御チャネルフォーマットを選択するステップと、前記選択した制御チャネルフォーマットに基づいて制御チャネルを送信するステップとを有することを特徴とする。
【００１９】
また、本発明の基地局は、多入力多出力（Multiple Input Multiple Output）伝送を行うか否かに応じて制御項目数の異なる複数の制御チャネルフォーマットから一つの制御チャネルフォーマットを選択するフォーマット選択手段と、前記選択した制御チャネルフォーマットに基づいて制御チャネルを前記端末に送信する送信手段とを有することを特徴とする。
【００２０】
また、本発明の端末は、多入力多出力（Multiple Input Multiple Output）伝送を行うか否かに応じて制御項目数の異なる複数の制御チャネルフォーマットから選択した一つの制御チャネルフォーマットに基づいて制御チャネルを送信する基地局から通知された制御チャネルフォーマットに基づいて、前記基地局から受信した制御チャネルを復調する制御チャネル復調手段と、前記制御チャネル復調手段による制御チャネルの復調結果に基づいて前記基地局から受信したデータチャネルを復調するデータチャネル復調手段とを有することを特徴とする。
【００２１】
本発明では、情報量の異なる複数の制御チャネルフォーマットから所定の条件に応じて一つの制御チャネルフォーマットを選択し、選択した制御チャネルフォーマットを用いて制御チャネルを伝送している。
【００２２】
所定の条件としては、１つの伝送フレーム内に多重するユーザ数，ユーザ端末が実装している送受信機能，データチャネルのＱｏＳ，伝搬路品質等がある。所定の条件に応じて一つの制御チャネルフォーマットを選択することにより、制御チャネルの情報量を制限し、又は制御チャネルの情報量を増やして、データチャネルの伝送効率の低下を防ぐことができる。
【発明の効果】
【００２３】
本発明によれば、データチャネルの伝送効率を低下させずに、トータルのスループットを向上させる制御チャネル送信方法、制御チャネル伝送方法、変調方法、基地局及び端末を提供することができる。
【図面の簡単な説明】
【００２４】
【図１】同時多重ユーザ数が１のとき、データチャネルに使用できるコード数を表した説明図である。
【図２】同時多重ユーザ数が４のとき、データチャネルに使用できるコード数を表した説明図である。
【図３】同時多重ユーザ数が４のとき、データチャネルに使用できるコード数を表した一例の説明図である。
【図４】同時多重ユーザ数が４のとき、データチャネルに使用できるコード数を表した他の一例の説明図である。
【図５】同時多重ユーザ数が３のとき、データチャネルに使用できるコード数を表した他の一例の説明図である。
【図６】本発明の制御チャネル伝送方法を実現するシステムの一実施例の構成図である。
【図７】フォーマット選択／割当部の一実施例の構成図である。
【図８】フォーマット選択／割当部の処理手順の一例を表したフローチャートである。
【図９】フォーマット割当部の一実施例の構成図である。
【発明を実施するための形態】
【００２５】
まず、本発明の理解を容易とする為に、本発明の原理について説明する。本発明では、情報量の異なる複数の制御チャネルフォーマットを複数用意しておき、所定の条件の一例としての状況（同時多重ユーザ数、ユーザ端末の送受信機能（UE Capability）、ＱｏＳ、伝搬路品質など）に応じて、制御チャネルフォーマットを選択して使用する。
【００２６】
ここでは、表２及び表３に示すような２種類の制御チャネルフォーマットを用意した例について説明する。
【００２７】
【表２】
2010022065.tif 000004
【００２８】
【表３】
2010022065.tif 000005
【００２９】
表２に示した制御チャネルフォーマットＡは、適応制御パラメータとして変調方式（アンテナ１）〜変調方式（アンテナ４），符号化率，拡散率，コードセットから成る。例えば変調方式（アンテナ１）〜変調方式（アンテナ４）は、可変範囲として４種類の変調方式（ＱＰＳＫ，８ＰＳＫ，１６ＱＡＭ，６４ＱＡＭ）が設定されている。表２に示した制御チャネルフォーマットＡは、適応制御パラメータの種類と可変範囲が広く、例えばＭＩＭＯ伝送時、アンテナ毎に変調方式を可変にすることができる。
【００３０】
一方、表３に示した制御チャネルフォーマットＢは、適応制御パラメータとして変調方式（アンテナ共通），符号化率，拡散率，コードセットから成る。例えば変調方式（共通）は、可変範囲として２種類の変調方式（ＱＰＳＫ，１６ＱＡＭ）が設定されている。表３に示した制御チャネルフォーマットＢは、適応制御パラメータの種類と可変範囲が制御チャネルフォーマットＡと比べて制限されており、ビット数が制御チャネルフォーマットＡの約１／２となっている。
【００３１】
なお、ＭＩＭＯ伝送に対応するユーザ端末ではアンテナ毎に変調方式を可変にせず、変調方式をアンテナ共通に制御する条件に従えば、制御チャネルフォーマットＢを使用することもできる。
【００３２】
本発明では、同時多重ユーザ数が少ない場合、制御チャネルの情報量の多い制御チャネルフォーマットＡを使用し、適応無線リンク制御による利得が大きく得られるようにすることで、トータルのスループットを向上させることができる。
【００３３】
一方、本発明では同時多重ユーザ数が多い場合、制御チャネルの情報量の少ない制御チャネルフォーマットＢを使用し、制御チャネルの情報量を制限する。制御チャネルの情報量の減少分だけデータチャネルの情報量を増加させることにより、本発明はデータチャネルの伝送効率の低下を防ぐことができる。
【００３４】
ここで、ＣＤＭＡによるユーザ多重の場合を例にして説明する。図３は、同時多重ユーザ数が４のとき、データチャネルに使用できるコード数を表した一例の説明図である。
【００３５】
図３では、制御チャネルの情報量が制御チャネルフォーマットＡの約１／２の制御チャネルフォーマットＢを利用することにより、１つの拡散コード内に２つの制御チャネル（２ユーザ分）を多重している。
【００３６】
１つの拡散コード内で分割する方法は、時間方向のタイムスロットを用いる方法と周波数方向のサブキャリアを用いる方法とが考えられる。なお、図３は時間方向のタイムスロットを用いて、１つの拡散コード内に２つの制御チャネルを時間領域で多重する例を示している。
【００３７】
図３の例では、４ユーザ分の制御チャネルの伝送に必要なコード数が２となる為に、データチャネルに使用できるコード数が６に増える。したがって、図３の例では前述した図２の例と比べてデータチャネルの伝送効率が向上している。
【００３８】
また、時間領域や周波数領域で制御チャネルを多重する以外にも、制御チャネルの拡散率を大きくすることにより、コード領域での多重数を増加させることも考えられる。
【００３９】
図４は、同時多重ユーザ数が４のとき、データチャネルに使用できるコード数を表した他の一例の説明図である。図４では、制御チャネルの拡散率を２倍にし、制御チャネルの情報量が制御チャネルフォーマットＡと比べて約１／２の制御チャネルフォーマットＢを利用することにより、データチャネルに使用できるコード数が６に増える。したがって、図４の例では前述した図２の例と比べてデータチャネルの伝送効率が向上している。
【００４０】
さらに、ユーザ端末がＭＩＭＯ伝送に対応しているか否かに応じて、制御チャネルフォーマットを切り換えるようにしてもよい。図５は、同時多重ユーザ数が３のとき、データチャネルに使用できるコード数を表した他の一例の説明図である。
【００４１】
図５では、ＭＩＭＯ伝送に対応しているユーザ端末が１台、ＭＩＭＯ伝送に対応していないユーザ端末が２台混在している例を示している。このとき、ＭＩＭＯ伝送に対応しているユーザ端末に制御チャネルフォーマットＡ，ＭＩＭＯ伝送に対応していないユーザ端末に制御チャネルフォーマットＢを割り当てる。
【００４２】
ＭＩＭＯ伝送に対応していないユーザ端末に制御チャネルフォーマットＢを割り当てることにより、１つの拡散コード内に２つの制御チャネル（２ユーザ分）を多重している。ＭＩＭＯ伝送に対応しているユーザ端末に制御チャネルフォーマットＡを割り当てることにより、１つの拡散コード内に１つの制御チャネル（１ユーザ分）を多重している。
【００４３】
このように、ＭＩＭＯ伝送に対応していないユーザ端末に対しては、制御チャネルに使用するコードリソースを制限し、データチャネルの伝送効率を向上させることができる。ＭＩＭＯ伝送に対応しているユーザ端末に対しては、送信アンテナ毎に適応無線リンク制御を行なうことができる為、トータルのスループットを向上させることができる。したがって、図５の例では前述した図２の例と比べてデータチャネルの伝送効率が向上している。
【００４４】
なお、図３〜図５に表した制御チャネルは、適宜組み合わせて利用することもできる。例えば図５では１つの拡散コード内に２つの制御チャネルフォーマットＢを時間領域で多重する例を示しているが、制御チャネルの拡散率を２倍にして図４のようにコード領域で多重するようにしてもよい。
【００４５】
その他、ユーザ毎に異なるＱｏＳ（Quality of Service）や伝搬路品質に応じて使用する制御チャネルフォーマットを切り換えることも有効である。例えば伝搬路品質が悪く、伝搬路の状態が激しく変動するようなユーザ端末に対しては、適応無線リンク制御の可変範囲が広い制御チャネルフォーマットＡを使用すればよい。
【００４６】
また、伝搬路品質が良く、伝搬路の状態が比較的安定しているユーザ端末に対しては、情報量の少ない制御チャネルフォーマットＢを使用すればよい。さらに、要求するデータ伝送速度が速い場合や要求する伝送遅延が小さい場合など、ＱｏＳの要求が高いユーザ端末に対しては適応無線リンク制御の可変範囲が広く、スループットの向上が見込まれる制御チャネルフォーマットＡを使用すればよい。
【００４７】
このように、本発明では状況に応じて、使用する制御チャネルフォーマットを選択することにより、伝送効率（トータルのスループット）が最大になるように制御を行なう。
【００４８】
これらの制御は、主に基地局で行わる。基地局は、制御チャネルフォーマットの選択を行い、選択された制御チャネルフォーマットを基地局からユーザ端末へのシグナリングにより通知する。シグナリングは、ユーザ端末との接続時や、所定時間毎に行えばよい。
【００４９】
また、シグナリングでは選択した制御チャネルフォーマットの他に、制御チャネルの拡散率や拡散コード、タイムスロット（時間領域で多重する場合）、サブキャリア配置（周波数領域で多重する場合）などの情報も同時に通知する。なお、本発明は基地局からユーザ端末への下りリンクの伝送だけでなく、ユーザ端末から基地局への上りリンクの伝送においても同様に適用可能である。
【実施例１】
【００５０】
次に、本発明を実施するための最良の形態を、以下の実施例に基づき図面を参照しつつ説明していく。図６は、本発明の制御チャネル伝送方法を実現するシステムの一実施例の構成図である。図６のシステムは、基地局１及びユーザ端末２を含む構成である。
【００５１】
基地局１は、フォーマット選択／割当部１０，シグナリング生成部１１，制御チャネル生成部１２，データチャネル生成部１３，多重部１４，選択部１５，送信部１６，伝搬路測定部１７，制御チャネル復調部１８，データチャネル復調部１９及び受信部２０を含むように構成される。
【００５２】
ユーザ端末２は、受信部５１，データチャネル復調部５２，シグナリング復調部５３，制御チャネル復調部５４，伝搬路測定部５５，制御チャネル生成部５６，フォーマット割当部５７，データチャネル生成部５８，多重部５９及び送信部６０を含むように構成される。
【００５３】
まず、基地局１からユーザ端末２への下りリンクの制御チャネル伝送方法について説明する。基地局１のフォーマット選択／割当部１０は、制御チャネルフォーマットを前述したように選択し、フレーム内での制御チャネルおよびデータチャネルの割り当て（多重方法）を決定する。制御チャネルフォーマットの選択には、多重ユーザ数，ユーザ端末の送受信機能、下りＱｏＳ、下りＣＱＩ（Channel Quality Indicator）などの情報が使用される。
【００５４】
選択された制御チャネルフォーマットの割り当てを表すフォーマット割り当て情報は、シグナリング生成部１１から選択部１５，送信部１６を介してユーザ端末２にシグナリング情報として通知される。また、フォーマット割り当て情報は制御チャネル生成部１２およびデータチャネル生成部１３に通知される。
【００５５】
制御チャネル生成部１２およびデータチャネル生成部１３で生成された制御チャネルおよびデータチャネルは、フォーマット割り当て情報に基づき多重部１４で多重された後、送信部１６を介してユーザ端末２に伝送される。
【００５６】
次に、ユーザ端末２のシグナリング復調部５３は、基地局１から受信部５１を介して通知されたシグナリング情報（フォーマット割り当て情報）を復調し、下りリンクの制御チャネルフォーマットを制御チャネル復調部５４に通知する。制御チャネル復調部５４は、シグナリング復調部５３から通知された下りリンクの制御チャネルフォーマットに基づき、制御チャネルの復調を行なう。制御チャネル復調部５４は制御チャネルから復調した下りリンクの適応制御パラメータをデータチャネル復調部５２に通知する。
【００５７】
データチャネル復調部５２は、制御チャネル復調部５４から通知された適応制御パラメータを用いて、データチャネルの復調処理を行う。下りリンクの制御チャネルフォーマットの選択に使用される下りＣＱＩは、ユーザ端末２の伝搬路測定部５５において測定される。そして、下りＣＱＩは上りＱｏＳやユーザ端末１の送受信機能と共に、ユーザ端末２から基地局１への上りリンクの制御チャネルによって基地局１に伝送される。
【００５８】
次に、ユーザ端末２から基地局１への上りリンクの制御チャネル伝送方法について説明する。上りリンクの制御チャネルフォーマットは下りリンクの制御チャネルフォーマットと同様、基地局１のフォーマット選択／割当部１０で選択される。上りリンクの制御チャネルフォーマットの選択には、多重ユーザ数，ユーザ端末の送受信機能、上りＱｏＳ、上りＣＱＩ（Channel Quality Indicator）などの情報が使用される。
【００５９】
選択された上りリンクの制御チャネルフォーマットは、シグナリング生成部１１から選択部１５，送信部１６を介してユーザ端末２にシグナリング情報として通知される。シグナリング復調部５３は基地局１から受信部５１を介して通知されたシグナリング情報を復調し、上りリンクの制御チャネルフォーマットをフォーマット割当部５７に通知する。フォーマット割当部５７は、上りリンクの制御チャネルおよびデータチャネルの割り当て（多重方法）を決定し、そのフォーマット割り当て情報を制御チャネル生成部５６およびデータチャネル生成部５８に通知する。
【００６０】
基地局１では、フォーマット選択／割当部１０が選択した上りリンクの制御チャネルフォーマットを、上りリンクの制御チャネル復調部１８に通知する。制御チャネル復調部１８は、フォーマット選択／割当部１０から通知された上りリンクの制御チャネルフォーマットに基づき、制御チャネルの復調を行なう。制御チャネル復調部１８は制御チャネルから復調した上りリンクの適応制御パラメータをデータチャネル復調部１９に通知する。
【００６１】
データチャネル復調部１９は、制御チャネル復調部１８から通知された適応制御パラメータを用いて、データチャネルの復調処理を行う。上りリンクの制御チャネルフォーマットの選択に使用される上りＣＱＩは、基地局１の伝搬路測定部１７において測定される。
【００６２】
なお、測定された上りＣＱＩは伝搬路測定部１７からフォーマット選択／割当部１０に通知される。また、ユーザ端末２から基地局１への上りリンクの制御チャネルによって基地局１に伝送された上りＱｏＳ、下りＣＱＩ、ユーザ端末１の送受信機能はフォーマット選択／割当部１０に伝送される。
【００６３】
次に、基地局１のフォーマット選択／割当部１０を更に詳細に説明する。図７はフォーマット選択／割当部の一実施例の構成図である。フォーマット選択／割当部１０は、下り制御チャネルリソース割当部１００，下りデータチャネルリソース割当部１０１，上り制御チャネルリソース割当部１０２および上りデータチャネルリソース割当部１０３を含むように構成される。
【００６４】
図７のフォーマット選択／割当部１０の処理手順について図８のフローチャートを参照しつつ説明していく。図８は、フォーマット選択／割当部の処理手順の一例を表したフローチャートである。
【００６５】
ステップＳ１に進み、下り制御チャネルリソース割当部１００及び上り制御チャネルリソース制御部１０２は同時多重ユーザ数およびユーザ端末２の送受信機能に応じて各ユーザ端末２の制御チャネルに無線リソースを割り当てる。
【００６６】
ステップＳ２に進み、下り制御チャネルリソース割当部１００及び上り制御チャネルリソース制御部１０２はＣＱＩ（受信品質，伝搬路変動）に応じて各ユーザ端末２の制御チャネルに割り当てる無線リソースを調整する。
【００６７】
ステップＳ３に進み、下り制御チャネルリソース割当部１００及び上り制御チャネルリソース制御部１０２はＱｏＳ（伝送速度，要求遅延）に応じて各ユーザ端末２の制御チャネルに割り当てる無線リソースを調整する。
【００６８】
また、ステップＳ４に進み、下り制御チャネルリソース割当部１００及び上り制御チャネルリソース制御部１０２はデータチャネルの無線リソースが十分か否かを判定する。データチャネルの無線リソースが十分であると判定すれば（Ｓ４においてＹＥＳ）、ステップＳ５に進む。
【００６９】
ステップＳ５では、下りデータチャネルリソース割当部１０１および上りデータチャネルリソース割当部１０３が、ＣＱＩおよびＱｏＳに応じて各ユーザ端末２のデータチャネルに無線リソースを割り当てる。
【００７０】
なお、データチャネルの無線リソースが十分でないと判定すれば（Ｓ４においてＮＯ）、ステップＳ１に戻る。即ち、ステップＳ４においてデータチャネルの無線リソースが十分であると判定されるまで、ステップＳ１〜Ｓ４の処理が繰り返し行われる。
【００７１】
図８の処理手順により、前述したフォーマット割り当て情報を作成することができるので、シグナリング生成部１１，制御チャネル生成部１２，データチャネル生成部１３、上りリンクの制御チャネル復調部１８にフォーマット割り当て情報を通知できる。
【００７２】
次に、ユーザ端末２のフォーマット割当部５７を更に詳細に説明する。図９はフォーマット割当部の一実施例の構成図である。フォーマット割当部５７は、上り制御チャネルリソース割当部１５１，上りデータチャネルリソース割当部１５２を含むように構成される。
【００７３】
シグナリング復調部５３から通知される上りリンクの制御チャネルフォーマットに基づき、上り制御チャネルリソース割当部１５１は各ユーザ端末２の上りリンクの制御チャネルに無線リソースを割り当てる。シグナリング復調部５３から通知される上りリンクの適応制御パラメータに基づき、上りデータチャネルリソース割当部１５２は各ユーザ端末２のデータチャネルに無線リソースを割り当てる。
【００７４】
したがって、フォーマット割当部５７は、前述したフォーマット割り当て情報を作成することができるので、制御チャネル生成部５６，データチャネル生成部５８にフォーマット割り当て情報を通知できる。
【００７５】
以上、本発明によれば、同時多重ユーザ数が増加した場合に、制御チャネルのビット数を制限することができる為、データチャネルの伝送効率を向上することができる。また、ユーザ端末２の送受信機能や伝搬路品質に応じて使用する制御チャネルフォーマットを選択することで適応無線リンク制御による利得を大きく得ることができる為、トータルのスループットを向上させることができる。さらに、データチャネルの伝送効率の低下を抑え、同時に多重可能なユーザ数を増加することができる為、より柔軟なチャネル割り当てが可能となる。
【符号の説明】
【００７６】
１    基地局
２    ユーザ端末
１０    フォーマット選択／割当部
１１    シグナリング生成部
１２    制御チャネル生成部
１３    データチャネル生成部
１４    多重部
１５    選択部
１６    送信部
１７    伝搬路測定部
１８    制御チャネル復調部
１９    データチャネル復調部
２０    受信部
５１    受信部
５２    データチャネル復調部
５３    シグナリング復調部
５４    制御チャネル復調部
５５    伝搬路測定部
５６    制御チャネル生成部
５７    フォーマット割当部
５８    データチャネル生成部
５９    多重部
６０    送信部
１００    下り制御チャネルリソース割当部
１０１    下りデータチャネルリソース割当部
１０２    上り制御チャネルリソース割当部
１０３    上りデータチャネルリソース割当部
１５１    上り制御チャネルリソース割当部
１５２    上りデータチャネルリソース割当部
【図１】
2010022065.tif 000006
【図２】
2010022065.tif 000007
【図３】
2010022065.tif 000008
【図４】
2010022065.tif 000009
【図５】
2010022065.tif 000010
【図６】
2010022065.tif 000011
【図７】
2010022065.tif 000012
【図８】
2010022065.tif 000013
【図９】
2010022065.tif 000014